(57)【特許請求の範囲】
【請求項１】
ダイス(8)と循環箱(40)をシャフト(32)及び機械的締結手段(30)により締結又は非締結状態とする循環箱の締結方法において、
前記機械的締結手段(30)は、前記シャフト(32)に設けられたナット(35)と、前記シャフト(32)を軸方向に移動させるための油圧手段又は空圧手段又は電磁手段からなる駆動手段(36)と、前記シャフト(32)の軸方向移動をロックするためのロック手段(46)と、を用い、
前記駆動手段(36)により前記シャフト(32)を移動させた後、前記ロック手段(46)を油圧又はばね力又は空圧又は電磁手段を用いて作動させて前記シャフト(32)の軸方向移動を制限し、前記循環箱(40)を前記ダイス(8)に対して締結状態とすることを特徴とする循環箱の締結方法。
【請求項２】
前記ロック手段(46)は、ストッパよりなり、前記シャフト(32)が軸方向に移動した後に、前記ストッパが前記ナット(35)の側部に第１アクチュエータ(45)を介して挿入され、前記ダイス(8)側への前記シャフト(32)の戻りが防止されることを特徴とする請求項１記載の循環箱の締結方法。
【請求項３】
前記ナット(35)は前記シャフト(32)上において、軸方向移動可能であることを特徴とする請求項２記載の循環箱の締結方法。
【請求項４】
前記締結状態では、前記駆動手段(36)の油圧手段又は空圧手段又は電磁手段がオフとなった場合でも、前記ナット(35)は前記ロック手段(46)によって移動が阻止され、前記締結状態が継続されることを特徴とする請求項１ないし３の何れかに記載の循環箱の締結方法。
【請求項５】
ダイス(8)と循環箱(40)をシャフト(32)及び機械的締結手段(30)により締結又は非締結状態とする循環箱の締結装置において、
前記機械的締結手段(30)は、前記シャフト(32)に設けられたナット(35)と、前記シャフト(32)を軸方向に移動させるための油圧手段又は空圧手段又は電磁手段からなる駆動手段(36)と、前記シャフト(32)の軸方向移動をロックするためのロック手段(46)と、よりなり、
前記駆動手段(36)により前記シャフト(32)を移動させた後、前記ロック手段(46)を油圧、ばね力、空圧及び電磁手段の何れかを用いて作動させて前記シャフト(32)の軸方向移動を制限し、前記循環箱(40)を前記ダイス(8)に対して締結状態とすることを特徴とする循環箱の締結装置。
【請求項６】
前記ロック手段(46)は、ストッパよりなり、前記シャフト(32)が軸方向に移動した後に、前記ストッパが前記ナット(35)の側部に第１アクチュエータ(45)を介して挿入され、前記ダイス(8)側への前記シャフト(32)の戻りが防止されることを特徴とする請求項５記載の循環箱の締結装置。
【請求項７】
前記ナット(35)は前記シャフト(32)上において、軸方向移動可能であることを特徴とする請求項６記載の循環箱の締結装置。
【請求項８】
前記締結状態では、前記駆動手段(36)の油圧手段又は空圧手段又は電磁手段がオフとなった場合でも、前記ナット(35)は前記ロック手段(46)によって移動が阻止され、前記締結状態が継続されることを特徴とする請求項５，６，７の何れかに記載の循環箱の締結装置。
【発明の詳細な説明】
【技術分野】
【０００１】
本発明は、循環箱の締結方法及び装置に関し、特に、ダイスと循環箱を締結する場合、シャフトに設けられたナットに対して油圧、空圧、電磁手段等の人手を用いないロック手段により、ロック又はアンロック状態とし、循環箱の締結及び非締結を円滑かつ確実に行うための新規な改良に関する。
【背景技術】
【０００２】
従来、用いられていたこの種の循環箱の締結方法及び装置としては、例えば、特許文献１に開示されている図３から図５の構成を挙げることができる。
すなわち、図３において符号１で示されるものは水中カット造粒機の使用例であり、図４のようにこの水中カット造粒機１はダイホルダ８ａを有するダイス８及びカッターユニット９からなる各機器を主として連結して構成されている。
【０００３】
このダイス８は厚肉円盤形状部品であり、上流側の裏面から下流側の表面へ向けて多数の樹脂通過孔が貫通して形成されている。
前記ダイス８に締結された循環箱４０には、循環水４２を循環させるための循環水パイプ４１が接続されている。
【０００４】
前記ダイス８と循環箱４０とは、機械的締結手段３０によって、互いに締結又は非締結状態となるように構成されている。
前記ダイホルダ８ａの外周面には、複数の突出部３１が形成され、前記各突出部３１には外側にシャフト頭部３２ａを有するシャフト３２を貫通させるための貫通孔３３が形成されている。
【０００５】
前記循環箱４０の外縁の四隅の鍔部３４に形成された貫通孔３４ａには、前記シャフト３２が貫通して設けられており、前記鍔部３４間の前記シャフト３２上には、ナット３５が螺合されている。
前記循環箱４０の鍔部３４の貫通孔３４ａを貫通して外部へ突出した前記シャフト３２には、このシャフト３２を軸方向に往復移動させるための油圧、空圧、電磁手段の何れかを用いた駆動手段３６が設けられている。
尚、シャフト３２、ナット３５及び駆動手段３６は、１ケ所のみしか示されていないが、実際には、四隅に対して合計４ケ所配設されている。
【０００６】
前述の構成において、前記循環箱４０を固定配置の前記ダイス８に接続した後に締結する場合、前記循環箱４０に配設された駆動手段３６により前記シャフト３２を循環箱４０側に引きつけると、ダイス８と循環箱４０が締め付けられ図５のように締結される。
【０００７】
前述の状態で、前記ナット３５を人力で回転させて循環箱４０の鍔部３４の内面３４ｂに付けることにより、例えば、前記駆動手段３６の油圧が漏れ等によってシャフト３２がダイス８側へ戻ろうとした場合でも、このナット３５が鍔部３４の内面３４ｂで戻りを防止され、ダイス８への循環箱４０の締結が水漏れを起すことなく維持される。
また、前記ダイス８と循環箱４０の締結を解除する場合には、前記ナット３５を逆回転させてナット３５を鍔部３４の内面３４ｂから離し（遠ざける）、スキマを空けることにより、駆動手段３６の油圧を低下させてシャフト３２をダイス８側へ移動させることが可能となり、前記ダイス８と循環箱４０の締結は解除される。
【０００８】
【特許文献１】特開２００４−１３０６００号公報
【発明の開示】
【発明が解決しようとする課題】
【０００９】
従来の循環箱の締結方法及び装置は、以上のように構成されていたため、次のような課題が存在していた。
すなわち、循環箱とダイスを油圧で締め付け、油圧低下によって締め付けがゆるみ水の漏洩を防止するために機械的安全装置として手回しのナットが用いられているが、ナットを手で回さなければならず、自動化が困難であった。また、手で回してロックすることを忘れることもあった。
また、手回しのナットでロックするのを忘れている際に、締め付けの油圧が低下して締め付けがゆるみ、循環箱内の４０℃以上の温水が漏洩した場合には、被害が発生することもあった。
【課題を解決するための手段】
【００１０】
本発明による循環箱の締結方法は、ダイスと循環箱をシャフト及び機械的締結手段により締結又は非締結状態とする循環箱の締結方法において、前記機械的締結手段は、前記シャフトに設けられたナットと、前記シャフトを軸方向に移動させるための油圧手段、空圧手段及び電磁手段の何れかからなる駆動手段と、前記シャフトの軸方向移動を制限するためのロック手段と、を用い、前記駆動手段により前記シャフトを移動させた後、前記ロック手段を油圧又はばね力又は空圧又は電磁手段を用いて作動させて前記シャフトの軸方向移動を制限し、前記循環箱を前記ダイスに対して締結状態とする方法であり、また、前記ロック手段は、ストッパよりなり、前記シャフトが軸方向に移動した後に、前記ストッパが前記ナットの側部に第１アクチュエータを介して挿入され、前記ダイス側への前記シャフトの戻りが防止される方法であり、また、前記ナットは前記シャフト上において、軸方向移動可能である方法であり、また、前記締結状態では、前記駆動手段の油圧手段又は空圧手段又は電磁手段がオフとなった場合でも、前記ナットは前記ロック手段によって移動が阻止される方法であり、また、本発明による循環箱の締結装置は、ダイスと循環箱をシャフト及び機械的締結手段により締結又は非締結状態とする循環箱の締結装置において、前記機械的締結手段は、前記シャフトに設けられたナットと、前記シャフトを軸方向に移動させるための油圧手段又は空圧手段又は電磁手段からなる駆動手段と、前記シャフトの軸方向移動をロックするためのロック手段と、よりなり、前記駆動手段により前記シャフトを移動させた後、前記ロック手段を油圧、ばね力、空圧及び電磁手段の何れかを用いて作動させて前記シャフトの軸方向移動を制限し、前記循環箱を前記ダイスに対して締結状態とする構成であり、また、前記ロック手段は、ストッパよりなり、前記シャフトが軸方向に移動した後に、前記ストッパが前記ナットの側部に第１アクチュエータを介して挿入され、前記ダイス側への前記シャフトの戻りが防止される構成であり、また、前記ナットは前記シャフト上において、軸方向移動可能である構成であり、また、前記締結状態では、前記駆動手段の油圧手段又は空圧手段又は電磁手段がオフとなった場合でも、前記ナットは前記ロック手段によって移動が阻止され、前記締結状態が継続される構成である。
【発明の効果】
【００１１】
本発明による循環箱の締結方法及び装置は、以上のように構成されているため、次のような効果を得ることができる。
すなわち、前述の請求項１の方法及び構成により、人手を介することなく、ロック手段により締結状態を維持することができ、ダイスと循環箱の結合部分の水漏れを防止し、安全な締結を達成することができる。
また、請求項２の方法及び構成により、ナットを固定するロック手段を構成するストッパを自動的に挿入することができ、円滑な締結維持ができる。
また、請求項３の方法及び構成により、ナットがシャフト上で移動できるため、締結状態の調整が容易にできる。
また、請求項４及び８の方法及び構成により、駆動手段の油圧手段、空圧手段及び電磁力の何れかの作動を停止した後も、締結状態が継続され、安全な操業を維持することができる。
【発明を実施するための最良の形態】
【００１２】
本発明は、ダイスと循環箱を締結する場合、シャフトに設けられたナットに対して油圧手段又はばね力又は空圧手段又は電磁手段等の人手を用いないロック手段により、ロック又はアンロック状態とし、循環箱の締結及び非締結を円滑かつ確実に行うようにした循環箱の締結方法及び装置を提供することを目的とする。
【実施例】
【００１３】
以下、図面と共に本発明による循環箱の締結方法及び装置の好適な実施の形態について説明する。
尚、従来例と同一又は同等部分には同一符号を用いて説明する。
図１及び図２は、本発明の第１形態を示し、前述の図３、図４及び図５のダイス８及び循環箱４０の構成は、本発明と同一であるため、図３から図５の構成を援用し、前記機械的締結手段３０の構成について説明する。
図１において、ダイス８側に接続されたシャフト３２は、循環箱４０の各鍔部３４、３４Ａ間に設けられ、一方の鍔部３４Ａに設けられた駆動手段３６により、矢印Ａ及びＢの方向に往復移動することができるように構成されている。
【００１４】
前記各鍔部３４、３４Ａ間のシャフト３２上には、１個又は一対のナット３５が図示しないねじ部を介して螺合（ナット３５は軸方向に移動可能）されており、このナット３５を回転させることによって前記シャフト３２上のナット３５の位置を任意に設定することにより、例えばストッパであるロック手段４６挿入時にナット３５との間に隙間が生じないように構成されている。
【００１５】
また、他方の前記鍔部３４には、油圧又はばね力又は空圧又は電磁手段からなる第１アクチュエータ４５が上方に植設される状態で設けられ、この第１アクチュエータ４５には、前記シャフト３２上に跨がる状態で配設された板状のストッパからなるロック手段４６が前記シャフト３２の軸方向と直交する方向に上下動するように設けられている。
前記ロック手段４６は、前記循環箱４０の鍔部３４とナット３５との間、すなわち、ナット３５の側部で上下動するように位置している。尚、前記機械的締結手段３０は前記ナット３５、ロック手段４６及び駆動手段３６及び第１アクチュエータ４５（又は、第２アクチュエータ５１）により構成されている。
【００１６】
前述の構成において、前述の図３から図５のように、ダイス８に対して循環箱４０を締結（ロック）又は非締結（アンロック）状態とする場合について述べる。
まず、図示していないが、第１アクチュエータ４５によってロック手段４６を上昇させ、駆動手段３６によってシャフト３２を矢印Ｂの方向に移動させると、ナット３５も同時に同一方向に移動し、循環箱４０がダイス８から離れ、この状態では、ナット３５が鍔部３４に接近し、ダイス８と循環箱４０は互いに非締結（アンロック）状態となる。
【００１７】
次に、前述の非締結（アンロック）状態において、駆動手段３６によってシャフト３２を矢印Ａの方向に移動させると、循環箱４０がダイス８側へ付勢され、前記鍔部３４とナット３５の間に図１のように隙間が形成され、この状態で第１アクチュエータ４５によってロック手段４６をこの隙間内に自動的に挿入すると、前記ナット３５は矢印Ｂの方向には移動不可となり、ダイス８と循環箱４０とは締結（ロックすなわち、制限）状態となる。すなわち、この締結状態とは、軸方向移動を完全にロックするだけでなく、水の漏洩が起きない程度の僅かな軸方向移動も含む。
【００１８】
この締結状態では、前記駆動手段３６の油圧手段又は空圧手段又は電磁手段がオフとなった場合でも、前記ナット３５はロック手段４６によって矢印Ｂ方向への移動は阻止され、締結状態が維持されて、ダイス８と循環箱４０間の水漏れは完全に防止される。
尚、前述の駆動手段３６及び第１アクチュエータ４５の動作は、図示しない制御部のプログラムによって、自動的に行われるように制御される。
【図面の簡単な説明】
【００１９】
【図１】本発明による循環箱の締結方法及び装置における機械的締結手段を示すアンロック状態の斜視図である。
【図２】図１のロック状態を示す斜視図である。
【図３】従来及び本発明における水中カット式造粒機を示す構成図である。
【図４】従来の循環箱の締結構造を示す拡大斜視図である。
【図５】図４のロック状態を示す斜視図である。
【符号の説明】
【００２０】
１    水中カット造粒機
８    ダイス
３０    機械的締結手段
３２    シャフト
３２Ａ    第１シャフト
３２Ｂ    第２シャフト
３４、３４Ａ    鍔部
３５    ナット
３５Ａ    第１ナット体
３５Ｂ    第２ナット体
３６    駆動手段
４０    循環箱
４５    第１アクチュエータ
４６    ロック手段（ストッパ）
【図１】
0004850865.tif 000002
【図２】
0004850865.tif 000003
【図３】
0004850865.tif 000004
【図４】
0004850865.tif 000005
【図５】
0004850865.tif 000006